(57)【要約】【課題】  厚手の頁物の製本物において開閉の際の折り癖による支障を取り除く。具体的には頁を捲った際に平面に展開できると共に元に戻した際に膨れ上がることがない製本物を提供する。また該製本物を製造するに当たり安価でしかも容易に製造することが可能な製本用部材とその製造方法を提供する。【解決手段】  台紙Ｓの両面をフィルムＦで被覆する。その後断裁をして製本用部材ｔに仕上げる。製本用部材ｔは綴じ部４とヒンジ部５と本体６から構成されており、綴じ部４と本体６はヒンジ部５のフィルムＦ、Ｆにより連接されている。【選択図】図２
2009286104.tif 000002
【特許請求の範囲】
【請求項１】
本体とヒンジ部及び綴じ代部からなる製本用部材を複数集積した製本物において、本体と綴じ代部が間隙を形成するように配置すると共に前記両者の両面をフィルムにより連続的に被覆すことにより前記間隙部がヒンジ部を形成し、該ヒンジ部が前記被覆された両面のフィルムで形成された製本用部材が集積されたことを特徴とした製本物。
【請求項２】
本体と綴じ代部が間隙を形成するように配置すると共に前記両者の両面をフィルムにより連続的に被覆すことにより前記間隙部がヒンジ部を形成し、該ヒンジ部が前記被覆された両面のフィルムで形成されていることを特徴とした製本用部材。
【請求項３】
側端にヒンジ部用の間隙を形成した基材にフィルムを連続的に被覆する工程、被覆された基材を断裁する工程からなる製本用部材の製造方法。
【請求項４】
間隙が連続的なスリット状態であることを特徴とした請求項１乃至３に記載の製本物及び製本用部材とその製造方法。
【請求項５】
間隙が不連続な空間で形成されていることを特徴とした請求項１乃至３に記載の製本物及び製本用部材とその製造方法。
【請求項６】
間隙部が片面のフィルムで被覆されたことを特徴とした請求項１乃至５に記載の製本物及び製本用部材とその製造方法。
【発明の詳細な説明】
【技術分野】
【０００１】  本発明は書籍、絵本、アルバム等において厚手の用紙で頁が形成されている書籍およびそれを形成する製本用部材とその製造方法に関する。
【背景技術】
【０００２】  絵本やアルバム等厚手の頁で形成されている製本物は、安易な綴じ手段では容易に頁が脱落したり、ばらばらに解れて書籍の体をなさなくなってしまう。そのため綴じ部を設けておいて、その部分で各々の頁を強固に連結しておけば脱落や解れの現象を回避することができる。そのようなアルバム台紙が特開２００１−１０２６５号公報に開示されている。【０００３】  前記引例は重量を軽減したアルバム台紙を提供するもので、その解決手段として、アルバム台紙１１は、貼付部１２、ヒンジ部１３及び綴じ代部１４を備えている。そのうち貼付部１２の素材は発泡紙であり、その密度は０．１〜０．３ｇ／ｃｍ３である。貼付部１２と綴じ代部１４とはヒンジ部１３によって連接されている。貼付部１２の素材が発泡紙であるため、厚紙等を用いた従来のアルバム台紙よりも軽量化され、アルバムを取り扱う際の負担が軽減されるとしている。【０００４】  ところで前記引例の第１実施形態において、連接用シート１３ａ、１３ａは例えば接着剤によって綴じ代用シート１４ｂの両面の全範囲と貼付部１２の一端の両面に接着されているが、この接着方法及び接着範囲は、アルバムの通常の使用によって連接用シート１３ａと綴じ代用シート１４ｂ及び貼付部１２とが剥がれない程度のものであれば特に限定されない。またヒンジ部１３においては、例えば２枚の連接用シート１３ａ、１３ａを相互に接着してもよいとしている。
【特許文献】特開２００１−１０２６５号公報
【発明の開示】
【発明が解決しようとする課題】
【０００５】  しかしながら、このような接着剤による貼付作業は、大掛かりなシステムを新たに必要とする。また手作業で行うとすると、効率性に劣る接着剤の取り扱いを余儀なくされたり貼付位置の正確性に欠ける等の多数の問題が発生する。【０００６】  本発明は、このような従来の構成が有していた問題を解決しようとするものであり、扱いづらい従来の接着剤の使用を取りやめ、貼付位置に正確に貼り付けが可能な製本物及び製本部材とその製造方法を提供することを目的としている。
【課題を解決するための手段】
【０００７】  上記問題を解決するために本発明の製本物は、本体とヒンジ部及び綴じ代部からなる製本用部材を複数集積した製本物において、本体と綴じ代部が間隙を形成するように配置すると共に前記両者の両面をフィルムにより連続的に被覆すことにより前記間隙部がヒンジ部を形成し、該ヒンジ部が前記被覆された両面のフィルムで形成された製本用部材を集積していることを特徴としている。
また上記問題を解決するために本発明の製本用部材は、本体と綴じ代部が間隙を形成するように配置すると共に前記両者の両面をフィルムにより連続的に被覆すことにより前記間隙部がヒンジ部を形成し、該ヒンジ部が前記被覆された両面のフィルムで形成されていることを特徴としている。
さらに上記問題を解決するために本発明の製本用部材の製造方法は、側端に間隙を形成した基材にフィルムを連続的に被覆する工程、被覆された基材を断裁する工程からなるものである。【０００８】  なお本体と綴じ代部の連接部分の間隙の形態に関しては、スリット状に均等の間隔を空けて完全に分断された形態のものの他に、複数の窓状の穴が連続的に配列されたものや複数の円形の穴が連続的に配列されたもの、あるいは不定形な空間によって形成されていても構わない。また本体と綴じ代部の間隙を穴埋めするためのフィルム被覆は、片面側であっても或いは両面共にフィルム被覆して強化しても構わない。
【発明の効果】
【０００９】  本発明の製本物は製本用部材の本体と綴じ代部がフィルム被覆により形成されるしなやかなヒンジ部からなるため開閉が極めて容易に行える。また見開きの本体を開いても或いは閉じ合わせても、閉じたり開いたりした後の元に戻ろうとする折り癖が吸収されるため、確実に平面に展開したり或いは閉じ合わせてもそのままの状態を維持できる。
【発明を実施するための最良の形態】
【００１０】  以下、本発明の実施の形態を図面に基づいて説明する。
図１（Ａ）及び（Ｂ）は製本用部材製造用の台紙の平面図と台紙の表裏面にフィルム被覆した状態を示す平面図である。図２（Ａ）及び（Ｂ）は図１の台紙を断裁して仕上げた製本用部材の平面図とＸ−Ｘ線断面図である。図３はヒンジ部のバリエーションを示す平面図である。【００１１】  図１（Ａ）に示す如く台紙Ｓは左端にスリット状の窓部１が設けられている。また窓部１の右側には例えばオンデマンド出力によりプリントアウトされた写真２が印刷されている。そして台紙Ｓの四隅には仕上げ断裁の目印となるトンボ３が印刷されている。【００１２】  次に台紙１は図１（Ｂ）に示す如く表裏面をフィルムＦにより被覆される。フィルム被覆の方法は公知知のラミネート手段を使用すればよいが、例えばサーマル方式の両面ラミネータ等であれば一度に両面をフィルム被覆できて極めて至便である。なお図示は省略するが、サーマル方式のラミネート方法を採用する場合はフィルムＦの台紙Ｓ側に、感熱接着剤層が形成されている。そのためフィルムＦを台紙Ｓ表面に被覆して過熱及び加圧処理を施せば両者は強固に接着される。【００１３】  そして図２に示す如くトンボ３に沿って台紙Ｓの４辺がそれぞれ断裁除去される。断裁された後の製本用部材ｔは綴じ部４とヒンジ５及び印刷等が施される本体６で構成される。なお製本用部材ｔの断面は図２（Ｂ）に示す如く両面がフィルムＦにより被覆されており、またヒンジ部５はフィルムＦ、Ｆのみで構成されている。フィルムＦにはポリエチレンテレフタレート、ポリエチレン、ポリプロピレン、ポリカーボネート、ポリエチレン、アセテート、ナイロン等の合成樹脂が好適に使用でき、しなやかであると共に腰も強く、また破れにも強いためヒンジ部５の材質としては最適である。【００１４】  図３（Ａ）、（Ｂ）及び（Ｃ）はヒンジ部のバリエーションを示すものである。ヒンジ部は前記実施例に示すように必ずしもスリット状に空間を有する必要はなく、例えば窓状の空間が連続的に形成されていたり、円形の穴が連続的に形成されていたり、或いは曲線からなる形状の切り込みが連続的に形成されていても構わない。なおミシン目等で代用することも可能で、台紙Ｄの折り癖が付きづらい形状やパターンから選択される。【００１５】  なお本発明は、上記実施例に限られることはない。例えば、上記実施例では、綴じ部４とヒンジ部５及び本体６全体をフィルム被覆する形態になっているが、必ずしも全体をフィルムによって被覆する必要はなく、ヒンジ部５を跨いで綴じ部４と本体６の一部分をフィルム被覆するようにしても構わない。
【図面の簡単な説明】
【００１６】
【図１】  図１（Ａ）及び（Ｂ）は製本用部材製造用の台紙の平面図と台紙の表裏面にフィルム被覆した状態を示す平面図である。
【図２】  図２（Ａ）及び（Ｂ）は図１の台紙を断裁して仕上げた製本用部材の平面図とＸ−Ｘ線断面図である。
【図３】  図３はヒンジ部のバリエーションを示す平面図である。
【符号の説明】
【００１７】    Ｓ  台紙
ｔ  製本用部材
Ｆ  フィルム
１  窓部
２  写真
３  トンボ
４  綴じ部
５  ヒンジ部
６  本体
【図１】
2009286104.tif 000003
【図２】
2009286104.tif 000004
【図３】
2009286104.tif 000005